(57)【要約】【課題】地震、津波などの緊急災害時でも、発電機からの水素ガスもれ、およびそれによる災害の防止を未然に防ぐことが可能なタービン発電機の安全装置を提供することを目的とする。【解決手段】緊急信号受信手段と異常信号受信手段とにもとづき緊急信号と異常信号を受信した場合に、操作パネルの設置される操作室で警報を発生し、警報を発生後、予め決められた時間内に操作パネルへの操作がされなかった場合、前記窒素ガス供給装置を動作させて前記発電機への水素ガスの供給の遮断と、前記発電機に残る水素ガスの発電所外への放出とを行う制御手段を備える。【選択図】図２
2014186548.tif 000002
【特許請求の範囲】
【請求項１】
水素ガスによる冷却が行われる発電機と、
前記発電機への窒素ガス供給により、前記水素ガスの供給機能を遮断させ、前記発電機に残る水素ガスの発電所外へ放出させる窒素ガス供給装置と
を備える発電機の安全装置において、
緊急信号を受信する緊急信号受信手段と、
前記発電機の異常状態を知らせる異常信号を受信する異常信号受信手段と、
前記緊急信号受信手段と前記異常信号受信手段とにもとづき前記緊急信号と前記異常信号を受信した場合に、操作パネルの設置される操作室内で警報を発生する警報発生手段と、
前記警報を発生後、予め決められた時間内に前記操作パネルへの操作がされた場合この操作内容に応じた前記窒素ガス供給装置の動作をさせ、前記操作がされなかった場合、前記窒素ガス供給装置を動作させて前記発電機への水素ガスの供給の遮断と、前記発電機に残る水素ガスの発電所外への放出とを行うよう制御する制御手段とを特徴とする発電機の安全装置。
【発明の詳細な説明】
【技術分野】
【０００１】
本発明は、タービン発電機の安全装置に関する。
【背景技術】
【０００２】
蒸気発電プラントに用いられるタービン発電機は、発電中の冷却方法の１つとして、水素ガスで冷却される装置がある。水素ガスを発電機内で密封するための密封油装置を設け密封される水素ガスで発電機を冷却する。
【０００３】
このような発電機において、発電機本体や発電機本体の回転軸の軸受部が異常動作した場合、水素ガス密封油装置が故障するおそれがある。密封装置の故障が起きると、発電機内から発電機周辺に水素ガスが漏れたり、発電機内の密封装置の油がきれて引火するおそれもある。
【０００４】
そのため、発電機の動作の異常を検知する機構と、窒素ガス供給装置とを設け、発電機の異常を検知したら、窒素ガスを発電機内に供給し、そのガスにより水素ガス供給遮断弁と水素ガス緊急放出弁とを動作させることにより、水素ガスの供給遮断と、発電機に残る水素ガスを発電所外に放出して、上記したような事故を防ぐようにしていた。
【０００５】
窒素ガスを供給するにあたっては、操作室内での酸素が薄くなることから、窒素ガス供給が急激にされないよう、作業員がパネル操作によりその供給を制御するようになっている。
【０００６】
しかしながら、大地震や津波などの緊急時は、窒素ガス供給装置を操作しないまま、操作室内から避難せざるをえないこともあるため、窒素ガスの発電機への供給による水素ガス遮断、水素ガスの発電所外への放出ができず、水素ガスが発電所内に漏れ出し引火などの事故につながるという可能性があり、その改善システムが求められていた。
【先行技術文献】
【特許文献】
【０００７】
【特許文献１】特開２００９−９８０３５公報
【発明の概要】
【発明が解決しようとする課題】
【０００８】
本発明は上記課題を解決するためになされたもので、地震、津波などの緊急災害時でも、発電機からの水素ガスもれ、およびそれによる災害の防止を未然に防ぐことが可能なタービン発電機の安全装置を提供することを目的とする。
【課題を解決するための手段】
【０００９】
本発明は、緊急信号受信手段と異常信号受信手段とにもとづき緊急信号と異常信号を受信した場合に、操作パネルの設置される操作室で警報を発生し、警報を発生後、予め決められた時間内に操作パネルへの操作がされなかった場合、前記窒素ガス供給装置を動作させて前記発電機への水素ガスの供給の遮断と、前記発電機に残る水素ガスの発電所外への放出とを行うことにより上記目的を達成する。
【図面の簡単な説明】
【００１０】
【図１】図１は、実施形態を示すブロック図である。
【図２】図２は、実施形態を示すフローチャートである。
【発明を実施するための形態】
【００１１】
本発明の一実施形態について、図面を参照して説明する。図１は、本発明の実施形態を示すブロック図であり、発電機を構成する発電機本体１０、および発電機の回転軸を支える軸受１２は、運転時は水素ガスで冷却されているが、それぞれは、制御装置１４に接続されている。
【００１２】
制御装置１４は、発電機本体１０、または軸受１２の異常を知らせる異常信号の監視を行うための受信部を備える。さらに制御装置１４は、外部からの緊急信号を監視するための受信部を備える。
【００１３】
制御装置１４は、操作パネル１６からの操作のあったことを監視するために操作パネル１６と接続されている。さらに操作パネル１６および制御装置１４いずれからの指示により動作する窒素ガス供給装置１８は、操作パネル１６および制御装置１４に接続されている。窒素ガス供給装置１８が、発電機へ窒素ガスを供給すると、水素ガス供給遮断弁と水素ガス緊急放出弁とを動作させる。これにより、前記水素ガスの供給機能を遮断させ、前記発電機に残る水素ガスの発電所外へ放出させる。
【００１４】
本実施形態の手順につき、図２を使って説明する。制御装置１４は定期的に、外部から無線などで送信される緊急信号と、発電機本体１０または軸受部１２からの異常信号を受信したか監視している（Ｓ１０，Ｓ１２）。
【００１５】
緊急信号とは、例えば緊急地震速報、つまり震度５弱以上の地震の到来が予想される場合に発信される信号である。
【００１６】
緊急信号と異常信号とをともに制御装置１４が受信すると（Ｓ１４）、制御装置１４は警報の必要ありと判断し、操作パネル１６に警報信号を鳴らすための特定の信号を送信、これを受けた操作パネル１６は、操作室内で警報音を発生する（Ｓ１６）。
【００１７】
制御装置１４は、操作パネル１６に警報音を発生するよう指示してから、あらかじめ決められた時間内に、作業員が、操作パネル１６に対して窒素ガス供給装置１８への動作指示をしたかどうかを、操作パネル１６からの確認信号の受信をもって監視する（Ｓ１８）。
【００１８】
一定時間内に操作パネル１６の入力操作が行われた場合は、操作パネル１６では警報を止めて、入力操作がされた旨の確認信号を制御装置１４に送信する。そして、入力操作が窒素ガス供給装置１８のＯＮ操作の場合は、窒素ガス供給装置をＯＮにして窒素ガスを発電機内に供給し、そのガスにより水素ガス供給を遮断し、発電機に残る水素ガスを発電所外へ放出する（Ｓ２２）。一方、入力操作がＯＦＦ操作なら、窒素ガス供給装置１８をＯＦＦのままとする（Ｓ２４）。  
【００１９】
警報発生後、一定時間内に操作パネルからの確認信号が送信されなかった場合は、操作パネルへの入力操作が行われなかったと判断し、強制的に窒素ガス供給装置をＯＮにするこれにより、操作パネルへの作業員による入力操作がなくても、窒素ガス供給装置をＯＮにして窒素ガスを発電機内に供給し、そのガスにより水素ガス供給遮断弁と水素ガス緊急放出弁とを動作させることにより、水素ガス供給を遮断し、発電機に残る水素ガスを発電所外へ放出する（Ｓ２４）。
【００２０】
以上の説明のとおり、緊急信号を受信し、発電機の異常が起きたときに操作パネルから警報を発生させ、一定時間内に操作されなかった場合は、作業員が操作室内から避難したと判断し、強制的に窒素ガス供給装置を動作させて、水素ガスの供給遮断と、発電機に残る水素ガスを発電所外に放出する。これにより、水素ガスの発電室内への漏れや、発電機内での引火を防止することができる。さらに、作業員がすでに避難した状態であるので、窒素が発電機周辺に充満しても作業員を危険にさらすこともないという効果も得られる。
【００２１】
なお、緊急信号は緊急地震速報の場合を例にとって説明したが、これに限定されず、発電所周辺や発電所内に設けられる地震計の震度をもとに発信される信号であってもよいし、津波が予想される場合に発信される警報であってもよい。
【符号の説明】
【００２２】
１０・・・発電機本体、１２・・・軸受部、１４・・・制御装置、１６・・・操作パネル、１８・・・窒素供給装置
【図１】
2014186548.tif 000003
【図２】
2014186548.tif 000004